(57)【特許請求の範囲】
【請求項１】
液体冷却式電気モータ（３８）と、該電気モータにより駆動されるポンプ（４４）とを含むモータポンプユニット（１２）を包囲するハウジング（１４、１６）を備えた高圧洗浄装置（１０）であって、
前記ポンプ（４４）が、圧力を受けるべき液体を供給するための吸引口（４６）と、圧力を受けた液体を排出するための圧力出口（５０）とを有し、
前記電気モータを冷却する目的で該電気モータ（３８）に液体が供給可能であり、該液体が前記ポンプ（４４）により引き続き圧力を受ける、
高圧洗浄装置において、
前記電気モータ（３８）がファンレス非同期モータとして構成され、前記モータポンプユニット（１２）が振動減衰バッファ要素（８４、８６、１１０、１１２、１１４、１１６）を介して装着されること、
前記モータポンプユニット（１２）の外周に、少なくとも第１及び第２の振動減衰バッファ要素（８４、８６）が配置され、前記バッファ要素が、該バッファ要素の間に前記モータポンプユニット（１２）を収容し、該高圧洗浄装置（１０）の支持構造体（８８、１６）上で保持されること、及び
前記モータポンプユニット（１２）が、その端部にて、該高圧洗浄装置（１０）の前記支持構造体上に、少なくとも１つの第３の振動減衰バッファ要素（１１０、１１２、１１４、１１６）を介して保持されること、及び
前記少なくとも１つの第３の振動減衰バッファ要素（１１０、１１２、１１４、１１６）が、モータシャフトに対して平行に向けられる支承力を吸収するように適合されていること、
を特徴とする高圧洗浄装置。
【請求項２】
請求項１に記載の高圧洗浄装置であって、前記モータポンプユニット（１２）が、該モータポンプユニットの外周の少なくとも一部にわたって、少なくとも１つの吸音要素（７８、８０）により包囲されることを特徴とする高圧洗浄装置。
【請求項３】
請求項１又は２に記載の高圧洗浄装置であって、前記ハウジングが、前記モータポンプユニット（１２）を間に収容する前方部分（１４）及び後方部分（１６）を有し、前記後方部分（１６）と前記モータポンプユニット（１２）との間に、及び／又は、前記前方部分（１４）と前記モータポンプユニット（１２）との間に、吸音要素（７８、８０）が配置されること、を特徴とする高圧洗浄装置。
【請求項４】
請求項１〜３のいずれか１項に記載の高圧洗浄装置であって、前記高圧洗浄装置（１０）が、遮音マット（７８、８０）として構成された少なくとも１つの吸音要素を有すること、を特徴とする高圧洗浄装置。
【請求項５】
請求項１〜４のいずれか１項に記載の高圧洗浄装置であって、前記吸引口（４６）に吸引接続片（４８）が接続され、及び／又は、前記圧力出口（５０）に圧力接続片（５２）が接続され、前記吸引接続片（４８）及び／又は前記圧力接続片（５２）が遮音マット（７８、８０）を通過すること、を特徴とする高圧洗浄装置。
【請求項６】
請求項１〜５のいずれか１項に記載の高圧洗浄装置であって、前記吸引口（４６）に吸引接続片（４８）が接続され、及び／又は、前記圧力出口（５０）に圧力接続片（５２）が接続され、前記吸引接続片（４８）及び／又は前記圧力接続片（５２）が、前記ハウジング（１４、１６）の開口（１８、２０）を通過し、前記開口（１８、２０）の縁部から機械的に分離されており、前記開口（１８、２０）にて吸音要素により包囲されること、を特徴とする高圧洗浄装置。
【請求項７】
請求項１〜６のいずれか１項に記載の高圧洗浄装置であって、前記ハウジング（１４、１６）が、該高圧洗浄装置（１０）の音響出力レベルが最大でも７８ｄＢ（Ａ）となるように、総開口表面積が３０００ｍｍ２を超えない流出開口（１２６、１２８）を有し、前記高圧洗浄装置（１０）の任意の機能不全の場合、前記ハウジング（１４、１６）から前記流出開口（１２６、１２８）を介して液体が流出可能であること、を特徴とする高圧洗浄装置。
【請求項８】
請求項７に記載の高圧洗浄装置であって、前記流出開口（１２６、１２８）の全開口表面積が、最大でも１５００ｍｍ２であること、を特徴とする高圧洗浄装置。
【請求項９】
請求項７又は８に記載の高圧洗浄装置であって、前記流出開口（１２６、１２８）が、前記ハウジング（１４、１６）の、前記ポンプ（４４）の近傍の領域に配置されること、を特徴とする高圧洗浄装置。
【請求項１０】
請求項７、８又は９に記載の高圧洗浄装置であって、前記ハウジングが、間に前記モータポンプユニット（１２）を収容する前方部分（１４）及び後方部分（１６）を有し、前記流出開口（１２６、１２８）が、前記ポンプ（４４）に隣接する前記後方部分（１６）に配置されること、を特徴とする高圧洗浄装置。
【請求項１１】
請求項１〜１０のいずれか１項に記載の高圧洗浄装置であって、少なくとも１つの流出開口（１２６、１２８）が、吸音要素（７８、８０）により被覆されること、を特徴とする高圧洗浄装置。
【請求項１２】
請求項１〜１１のいずれか１項に記載の高圧洗浄装置であって、２つの振動減衰バッファ要素（８４、８６）が、直径方向に互いに対向するように置かれること、を特徴とする高圧洗浄装置。
【請求項１３】
請求項１〜１２のいずれか１項に記載の高圧洗浄装置であって、前記支持構造体が、前記ハウジングの後方部分（１６）、及び、前記後方部分（１６）に固定可能であり且つ前記モータポンプユニット（１２）の周りに係合する支持ブラケット（８８）を含み、前記後方部分（１６）と前記モータポンプユニット（１２）との間、及び、前記支持ブラケット（８８）と前記モータポンプユニット（１２）との間に、少なくとも１つの振動減衰バッファ要素（８４、８６）が都度配置されること、を特徴とする高圧洗浄装置。
【請求項１４】
請求項１〜１３のいずれか１項に記載の高圧洗浄装置であって、前記モータポンプユニット（１２）が、その端部にて、前記支持構造体上に少なくとも１つの第３の振動減衰バッファ要素（１１０、１１２、１１４、１１６）を介して保持される支持装置（９０）に接続されること、を特徴とする高圧洗浄装置。
【請求項１５】
請求項１４に記載の高圧洗浄装置であって、前記支持装置（９０）が、一方では前記圧力出口（５０）上及び／又は前記圧力出口（５０）に接続される圧力接続片（５２）上に、他方では前記支持構造体上に、固着される橋絡部分（９２）を有し、前記橋絡部分（９２）と前記支持構造体との間に、少なくとも１つの第３の振動減衰バッファ要素（１１０、１１２、１１４、１１６）が挿入されること、を特徴とする高圧洗浄装置。
【請求項１６】
請求項１５に記載の高圧洗浄装置であって、前記橋絡部分（９２）が、一方では前記吸引口（４６）に接続される吸引接続片（４８）上と前記圧力接続片（５２）上に、他方では前記支持構造体上に、固着されており、前記橋絡部分（９２）と前記支持構造体との間に、少なくとも１つの第３の振動減衰バッファ要素（１１０、１１２、１１４、１１６）が挿入されること、を特徴とする高圧洗浄装置。
【請求項１７】
請求項１〜１６のいずれか１項に記載の高圧洗浄装置であって、前記モータポンプユニット（１２）が、前記ハウジング（１４、１６）の作動開口（２２）を通過する作動要素（６０）を備えた、前記電気モータ（３８）をオンオフするためのスイッチ装置（５６）を有し、前記作動開口（２２）が、前記ハウジング（１４、１６）の前記開口の縁部（６８）により規定され、前記縁部が、前記作動要素（６０）と合わせてラビリンス（７６）を形成すること、を特徴とする高圧洗浄装置。
【請求項１８】
請求項１７に記載の高圧洗浄装置であって、前記作動要素（６０）が、前記作動開口（２２）をその内側及び／又は外側で被覆する環状壁（７０）を含むこと、を特徴とする高圧洗浄装置。
【請求項１９】
請求項１８に記載の高圧洗浄装置であって、前記環状壁（７０）が周縁環（７２）により包囲され、前記環に前記作動開口（２２）の前記縁部（６８）が入り込むこと、を特徴とする高圧洗浄装置。
【請求項２０】
請求項１７、１８又は１９に記載の高圧洗浄装置であって、前記作動開口（２２）の前記縁部（６８）が漏斗形に設計される、ことを特徴とする高圧洗浄装置。
【請求項２１】
請求項１〜２０のいずれか１項に記載の高圧洗浄装置であって、該高圧洗浄装置（１０）の動作状態に関わりなく、前記電気モータ（３８）の回転速度が、電源周波数が６０Ｈｚの非同期モータとして構成される場合は毎分３６００回転よりも少なく、電源周波数が５０Ｈｚの非同期モータとして構成される場合は毎分３０００回転よりも少ないこと、を特徴とする高圧洗浄装置。
【請求項２２】
請求項１〜２１のいずれか１項に記載の高圧洗浄装置であって、前記電気モータ（３８）が、二極性非同期モータとして構成されること、を特徴とする高圧洗浄装置。
【請求項２３】
請求項１〜２２のいずれか１項に記載の高圧洗浄装置であって、前記電気モータ（３８）の電力が最大でも３５００Ｗであること、を特徴とする高圧洗浄装置。
【請求項２４】
請求項１〜２３のいずれか１項に記載の高圧洗浄装置であって、該高圧洗浄装置（１０）の前記音響出力レベルが最大でも７８ｄＢ（Ａ）であること、を特徴とする高圧洗浄装置。
【発明の詳細な説明】
【技術分野】
【０００１】
本発明は、液体冷却式電気モータと、この電気モータにより駆動されるポンプとを含むモータポンプユニットを包囲するハウジングを備えた高圧洗浄装置であって、前記ポンプが、圧力を受けるべき液体を供給するための吸引口と、圧力を受けた液体を排出するための圧力出口とを有し、前記電気モータを冷却する目的でこの電気モータに液体が供給可能であり、この液体がポンプにより引き続き圧力を受けることができる、高圧洗浄装置に関する。
【背景技術】
【０００２】
この種類の高圧洗浄装置は、例えばDE 9417662 U1から知られている。これらの高圧洗浄装置のおかげで、圧力を受けた液体の流れ、例えば水の噴流を、表面に向けることができるということによって、表面を洗浄することができる。圧力を受けるべき液体は、吸引口を介してポンプに供給される。続いて、液体は、ポンプにより圧力を受け、圧力出口を介して排出される。例えば圧力出口に高圧ホースを接続し、例えば高圧ホースの自由端に噴霧さおを配置することができる。
【０００３】
電気モータは、ポンプと合わせて、そして多くの場合はポンプと電気モータとの間に配置された伝動装置と合わせて、構造的ユニットを形成する。この構造的ユニットを以下でモータポンプユニットと称する。このモータポンプユニットは、高圧洗浄装置の製造中に予め組み立てられ、続いてモータポンプユニットを包囲するハウジングに挿入される。
【０００４】
このような高圧洗浄装置の電気モータは、電気モータにより駆動されるファンによって空気の流れが発生し、この空気の流れが電気モータに沿って案内されるということによって、しばしば冷却される。この目的でハウジングが通気口を有する結果、ハウジングに冷却空気が進入することができ、いったん電気モータが冷却されるとこの冷却空気をハウジングから外へ案内することができる。DE 9417662 U1は、冷却空気によってだけでなく、更に、続けてポンプによる圧力を受ける液体によっても電気モータを冷却することのできる高圧洗浄装置を記載している。液体は、最初にこの目的で電気モータの周りを案内され、その後、ポンプの吸引口に移動して、ポンプによる圧力を受けることができる。
【先行技術文献】
【特許文献】
【０００５】
【特許文献１】DE 10 2007 009 394 A1 (WO 2008/101594 A1)
【特許文献２】DE 103 05 812 A1
【特許文献３】DE 30 17 117 A1
【特許文献４】DE 38 17 641 C2
【特許文献５】DE 94 17 662 U1 (IT RE930107 U1)
【特許文献６】EP 0 627 558 B1
【特許文献７】US-A-4,844,701
【特許文献８】US-A-5,174,730
【特許文献９】US-A-5,354,182
【発明の概要】
【発明が解決しようとする課題】
【０００６】
このような高圧洗浄装置の動作は、通常、相当量の騒音の発生に関連している。本発明の目的は、冒頭で特定された種類の高圧洗浄装置を、この高圧洗浄装置が発生させる騒音が少なくなるように更に展開することである。
【課題を解決するための手段】
【０００７】
この目的は、本発明によれば、包括的な種類の高圧洗浄装置において、前記電気モータがファンレス非同期モータとして構成され、前記モータポンプユニットが振動減衰バッファ要素を介して装着されるという点で達成される。
【０００８】
本発明による前記高圧洗浄装置の場合、ファンレス電気モータが使用される。従って、前記電気モータは、ファンにより発生する冷却空気の流れにより冷却されるのではなく、前記ポンプにより運搬されるべき液体により冷却される。このことは、前記ハウジングにおける通気口なしで済ますことができるという利点を有する。その結果、前記高圧洗浄装置の騒音放射は大幅に低減される。前記高圧洗浄装置の前記電気モータは、非同期モータとして設計される。このことは、前記電気モータの場合は整流子及びブラシを省略することができるという利点を有する。その結果、前記電気モータにおける熱の発生が大幅に減少する。このことにより、冷却空気の流れを一切発生させる必要なく、液体を用いて前記電気モータを冷却することがより簡単になる。前記モータポンプユニットを振動減衰バッファ要素を介して装着することにより、前記騒音放射の更なる低減が達成される。こうして、前記モータポンプユニットを前記ハウジングに不動に接触させることなしで済ますことができる。その結果、前記モータポンプユニットから前記ハウジングへ堅牢な機械部品を介して騒音伝達されることが防止される。
【０００９】
本発明による前記高圧洗浄装置の場合、前記モータポンプユニットは、振動減衰バッファ要素を介して装着される。この場合、前記ハウジング上に前記バッファ要素を介して直接装着することができる。別法として、又は付加的に、前記高圧洗浄装置が、別個の支持構造体、例えば、前記モータポンプユニットを前記振動減衰バッファ要素を介して装着する覆い又は架枠を有するようにしてもよい。
【００１０】
本発明の好適な展開において、前記モータポンプユニットが、このモータポンプユニットの外周の少なくとも一部にわたって、少なくとも１つの吸音要素により包囲されるという点で、騒音発生の更なる低減が達成される。例えば、前記ハウジングの後方部分の領域及び／又は前方部分の領域に吸音要素が配置されるようにしてもよい。前記吸音要素は、好ましくは、それらの間に前記モータポンプユニットを収容する。前記ハウジングが基部及び頂部を有し、前記基部及び／又は前記頂部の領域に吸音要素を配置できるようにしてもよい。
【００１１】
少なくとも１つの吸音要素が遮音マットとして構成されるようにしてもよい。この遮音マットは、例えばプラスチック材料から製造することができ、特に泡状構造体を有することができる。
【００１２】
前記圧力出口に高圧ホースを接続できるようにするために、そして、前記吸引口に供給ホースを接続できるようにするためにも、前記吸引口に吸引接続片を接続することができ、及び／又は、前記圧力出口に圧力接続片を接続することができる。前記吸引接続片及び前記圧力接続片の自由端は、前記ハウジングから突出させることができる。この目的で、吸引接続片及び圧力接続片は、前記ハウジングに配置された開口を通過する。騒音が前記ハウジングから前記開口を通って出ていくことを回避するために、有利な１実施形態において、前記吸引接続片及び／又は前記圧力接続片が遮音マットを通過するようにされる。このようにして、前記吸引接続片及び／又は前記圧力接続片は、前記ハウジングの前記開口の領域で前記遮音マットにより包囲される。このことにより、騒音が実際には前記ハウジングから前記それぞれの接続片の前記開口を介して出ていかないことが確実になる。
【００１３】
結果として、騒音が前記吸引接続片及び前記圧力接続片からそれぞれ前記ハウジングに直接伝達できないことから、前記吸引接続片及び／又は前記圧力接続片が、前記ハウジングの前記それぞれの開口の縁部領域から機械的に分離されると特に有利である。
【００１４】
ファンレス非同期モータを、前記モータポンプユニットを振動減衰バッファ要素を介して装着することと合わせて使用することにより、前記高圧洗浄装置により発生する前記騒音を大幅に低減することが可能となる。騒音放射を極力低下させることを目的として、前記ハウジングが、どんなものであろうと開口を有さないことになれば有利であろう。しかし、このことは、前記高圧洗浄装置が機能不全である場合、前記ハウジングの内部に導入される液体が、場合によって前記高圧洗浄装置の通電部分に接触するというリスクを伴うであろう。これは、液体が前記ハウジング内部で線部分から逃散し得る場合であろう。このリスクを最小にするために、そして同時に、前記高圧洗浄装置が少量の騒音しか発生させないことを確実にするために、高圧動作中の前記高圧洗浄装置の音響出力レベルが最大でも７８ｄＢ（Ａ）となるように、その総開口表面積が３０００ｍｍ２を超えない流出開口を前記ハウジングが有すると有利である。この種類の流出開口は実質、前記高圧洗浄装置による騒音発生には影響せずに、前記高圧洗浄装置の任意の機能不全の場合に、液体が前記高圧洗浄装置の通電部品に接触するのを確実に防止するということが示された。それどころか、いずれの故障の場合にも、前記液体は、通電部分に接触しないうちに前記流出開口を介して前記ハウジングから流れ出ることができる。
【００１５】
従って、前記高圧洗浄装置の前記ハウジングにおいて通気口を省略することができるが、一方で、前記高圧洗浄装置は、総開口表面積が３０００ｍｍ２を超えない流出開口を有することができる。従って、構造的に単純なやり方で全ての安全要件を満たし、発生させる騒音が大幅に少ない高圧洗浄装置を設けることができる。３０００ｍｍ２という最大開口表面積は、前記高圧洗浄装置が、欧州規格ＥＮ６０７０４に従って計測される、最大でも７８ｄＢ（Ａ）の高圧動作中の音響出力レベルを有する際に存在する。前記開口表面積を増加させることにより、前記音響出力レベル、即ち騒音発生は増加することがあろう。
【００１６】
本発明の特に好適な１展開において、前記流出開口の全開口表面積は最大でも１５００ｍｍ２である。結果として、前記高圧洗浄装置における前記騒音発生は、同様に、前記高圧洗浄装置に求められる、安全に対する技術要件が損なわれることなしに低減することができる。
【００１７】
前記流出開口が、前記ハウジングの、前記ポンプの近傍の領域に配置されると特に有利である。前記ポンプは好ましくは、前記電気モータの前記モータシャフトと同一平面に整列され、特に、前記電気モータとこの電気モータの近傍の伝動装置と前記ポンプとが、前記モータシャフトの方向で前後に配置されるようにしてもよい。前記流出開口は好ましくは、前記ポンプを包囲する前記ハウジングの領域のみに配置されるのであり、前記電気モータを包囲する領域には配置されない。これにより前記高圧洗浄装置による前記騒音発生の更なる低減が可能となることが示された。
【００１８】
前記ハウジングが、間に前記モータポンプユニットを収容する前方部分及び後方部分を有し、前記流出開口が、前記ポンプに隣接する前記後方部分に配置されると特に有利である。従って、前記前方部分は、通気口又は流出開口のいずれも有さない。結果として、前記騒音発生を同様に最小にすることができる。
【００１９】
好ましくは、少なくとも１つの流出開口が吸音要素により被覆される。特に、前記ハウジングが、吸音要素により被覆される幾つかの流出開口を有するようにしてもよい。例えば、前記流出開口は遮音マットにより被覆することができる。従って、前記高圧洗浄装置の任意の機能不全の場合、前記ハウジングから液体が流れ出ることができるが、前記流出開口を介した前記騒音放射は少なくとも大幅に制限される。
【００２０】
既に説明したように、前記モータポンプユニットは振動減衰バッファ要素を介して装着される。この点に関して、前記モータポンプユニットの外周に少なくとも２つの振動減衰バッファ要素が配置され、これらの振動減衰バッファ要素が、それらの間に前記モータポンプユニットを収容し、前記高圧洗浄装置の支持構造体上で保持されると好ましい。この場合、前記支持構造体は、少なくとも一部では前記ハウジング自体により形成することができるが、支持構造体として架枠又は覆いが使用されるようにしてもよい。少なくとも２つの振動減衰バッファ要素が外周に配置されるように前記モータポンプユニットを装着する場合、驚くべきことに、前記モータポンプユニットから前記支持構造体への前記騒音伝達を極めて大幅に低減できることが示された。
【００２１】
２つの振動減衰バッファ要素が、直径方向に互いに対向するように置かれると特に有利である。
【００２２】
特に、２つの振動減衰バッファ要素のみが、前記モータポンプユニットの外周に配置され、これらの振動減衰バッファ要素がそれらの間に前記モータポンプユニットを収容しており、従って特に前記モータシャフトに直角に向けられる力に対する当接部を形成するようにしてもよい。
【００２３】
前記高圧洗浄装置の前記支持構造体は、例えば、前記ハウジングの後方部分、及び、前記後方部分に固定可能であって且つ前記モータポンプユニットの周りに係合する支持ブラケットを含むことができ、前記後方部分と前記モータポンプユニットとの間、及び前記支持ブラケットと前記モータポンプユニットとの間に少なくとも１つの振動減衰バッファ要素が都度配置される。好ましくは、前記後方部分と前記モータポンプユニットとの間に、唯一つの振動減衰バッファ要素が配置される。前記支持ブラケットと前記モータポンプユニットとの間に唯一つのバッファ要素が配置されると特に有利である。前記支持ブラケットは、前記後方部分に着脱可能に接続することができ、特に前記支持ブラケットと前記後方部分との間にねじ接続を使用することができる。
【００２４】
前記モータシャフトに対して平行に向けられる支承力を吸収できるようにするために、本発明の有利な１実施形態において、前記モータポンプユニットがその端部にて、前記高圧洗浄装置の支持構造体上で少なくとも１つの振動減衰バッファ要素を介して保持されることが実現される。
【００２５】
例えば、前記モータポンプユニットがその端部にて、前記支持構造体上に少なくとも１つの振動減衰バッファ要素を介して保持される支持装置に接続されるようにしてもよい。前記支持装置と前記支持構造体との間に前記振動減衰バッファ要素を配置する結果として、驚くべきことに、前記高圧洗浄装置による、前記騒音発生の特に大きな低減を達成できることが示された。これとは対照的に、前記モータポンプユニットと前記支持装置との間の接続を、堅牢な機械部品を介してもたらすことができる。一方、振動減衰バッファ要素が、前記モータポンプユニットと前記支持装置との間にだけでなく、前記支持装置と前記支持構造体との間にも配置されるようにしてもよい。
【００２６】
好適な１実施形態において、前記支持装置は、一方で前記圧力出口上及び／又は前記圧力接続片上に、他方で前記支持構造体上に、然るべき場所で固着される橋絡部分を有し、前記橋絡部分と前記支持構造体との間には、少なくとも１つの振動減衰バッファ要素が挿入される。前記モータポンプユニットの長手方向軸に対して平行に作用する支承力は、前記橋絡部分を介して前記支持構造体に伝達することができ、前記モータポンプユニットから前記支持構造体への前記騒音伝達は、間に少なくとも１つの振動減衰バッファ要素が挿入されることにより、少なくとも大幅に低減される。
【００２７】
本発明による前記高圧洗浄装置の特にコンパクトな展開は、前記圧力接続片に隣接して前記吸引接続片が配置されることを特徴としている。このことにより、供給ホースと圧力ホースとを接続する際の前記高圧洗浄装置の取り扱いが容易になる。
【００２８】
前記橋絡部分が、一方では前記吸引接続片上及び前記圧力接続片上に、他方では前記支持構造体上に、然るべき場所で固着されており、前記橋絡部分と前記支持構造体との間には、少なくとも１つの振動減衰バッファ要素が挿入されると好ましい。従って、前記橋絡部分は、前記圧力接続片にだけでなく前記吸引接続片にも固定される。このことにより、前記モータポンプユニットの特に応力耐久性の装着が可能になる。
【００２９】
好ましくは、前記橋絡部分はプラスチック材料から製造され、特に、射出成形部として構成することができる。
【００３０】
前記電気モータをオンオフする目的で、前記モータポンプユニットは、通常、前記ハウジングの作動開口を通過する作動要素を備えたスイッチ装置を有する。この種類の作動要素は、多種多様の実施形態において、ロータリースイッチ及びトグルスイッチの制御ボタンの形態で当業者に知られている。本発明による前記高圧洗浄装置の好適な１実施形態において、前記作動開口は、前記ハウジングで、前記作動要素と合わせてラビリンスを形成する前記開口の縁部により規定される。前記ラビリンスが存在する結果として、騒音が実際に、前記ハウジングから前記作動開口を介して出ていくことができないことが確実になる。前記ラビリンスは、前記ハウジングの内部空間とその外部空間との間で、空気用の蛇行する流路を形成する。従って、前記ラビリンスは遮音要素になり、この遮音要素のおかげで前記騒音放射を最小にすることができる。
【００３１】
例えば、前記作動要素が、その内側及び／又はその外側で前記作動開口を被覆する環状壁を含むようにしてもよい。
【００３２】
前記環状壁は好ましくは、周縁環により包囲され、この周縁環には前記ハウジングの前記開口の前記縁部が入り込む。
【００３３】
前記ハウジングの前記開口の前記縁部は、好ましくは、漏斗形に設計される。
【００３４】
前記高圧洗浄装置の動作状態に関わりなく、前記電気モータの回転速度が、電源周波数が６０Ｈｚの非同期モータとして前記電気モータが構成される場合は毎分３６００回転よりも少なく、電源周波数が５０Ｈｚの非同期モータとして前記電気モータが構成される場合は毎分３０００回転よりも少ないと特に有利である。結果として、前記騒音発生を、特に良好に最小にすることができる。
【００３５】
例えば、電源周波数が６０Ｈｚの非同期モータとして前記電気モータが構成され、前記高圧洗浄装置の動作状態に関わりなく、毎分３１００〜３６００回転の間の回転速度、特に毎分３１００〜３５８０回転の間の回転速度を有するようにしてもよい。電源周波数が５０Ｈｚの非同期モータとして前記電気モータが構成される場合、好ましくは、この電気モータは、前記高圧洗浄装置の動作状態に関わりなく、毎分２６００回転〜毎分３０００回転の間の回転速度、特に毎分２７００回転〜毎分２９５０回転の範囲の回転速度を有する。
【００３６】
前記電気モータは、好ましくは、二極性非同期モータとして構成される。
【００３７】
前記電気モータの電力は、好ましくは、最大でも３５００Ｗである。例えば、前記電気モータの最大出力が３４００Ｗ程度であるようにしてもよい。
【００３８】
前記高圧洗浄装置による総騒音発生、即ちその音響出力レベルは、好ましくは、欧州規格ＥＮ６０７０４に従って計測して、高圧動作中、最大でも７８ｄＢ（Ａ）である。前記高圧洗浄装置の、高圧動作中の前記音響出力レベルが７７ｄＢ（Ａ）よりも少なく、例えば７６ｄＢ（Ａ）よりも少ないと特に好ましい。低圧動作中は、前記音響出力レベルは全体的に更に少ない。
【００３９】
本発明の好適な１実施形態の以下の記載は、本発明を図面と共に、より詳細に説明するのに役立つ。
【図面の簡単な説明】
【００４０】
【図１】高圧洗浄装置の分解図。
【図２】図１の高圧洗浄装置の作動開口の断面図。
【発明を実施するための形態】
【００４１】
図面には、本発明による高圧洗浄装置が示されており、高圧洗浄装置は全体に渡って参照符号１０で表されている。高圧洗浄装置は、前方部分１４と後方部分１６とを有するハウジングにより包囲されるモータポンプユニット１２を含む。前方部分１４は、後方部分１６に設置することのできるフードの形状に設計され、下方領域において横方向で互いに隣接して設置される第１開口１８及び第２開口２０を有する。２つの開口１８、２０の上方には作動開口２２が配置されており、この作動開口は、図２に断面図で示されている。
【００４２】
後方部分１６は、桶様の設計であり、底壁２６が下方領域で一体になって接する後壁２４を含む。後壁２４には、底壁２６から離れる方を向く側に、上壁２８が接している。後壁２４上で、底壁２６と上壁２８との間の領域の側には、第１側壁３０及び第２側壁３２が一体化して形成される。上側では上壁２８に、好ましくはＵ形のハンドル要素を装着することができるが、ハンドル要素はそれ自体知られており、従って、より良好な概観を達成するために図面には示されていない。
【００４３】
２つの側壁３０及び３２は各々、それらの外側に軸茎３４を有し、軸茎３４上に、走行車輪３６が回転可能に保持される。従って、高圧洗浄装置１０は、可動となるように設計される。
【００４４】
前方部分１４及び後方部分１６により包囲されるモータポンプユニット１２は、電源周波数が５０Ｈｚ又は６０Ｈｚのファンレス非同期モータとして構成され冷却カバー４０を有する電気モータ３８を含み、電気モータ３８を冷却する目的で、冷却カバー４０を通して液体を運搬することができる。電気モータ３８にはその端部にて斜板の伝動装置機構４２が接し、電気モータ３８は、伝動装置機構４２を介してモータポンプユニット１２のポンプ４４に接続する。ポンプ４４は吸引口４６を有し、吸引口４６に吸引接続片４８が接続する。更に、ポンプ４４は圧力出口５０を含み、圧力出口５０に、吸引接続片４８に隣接する側に配置された圧力接続片５２が接続される。高圧洗浄装置１０が組み立てられた状態では、圧力接続片５２は第１開口１８を通過し、吸引接続片４８は第２開口２０を通過する。
【００４５】
モータポンプユニット１２は更にスイッチ装置５６を有し、スイッチ装置５６のおかげで、電気モータ３８はオンオフすることができる。図示する実施形態において、スイッチ装置はロータリースイッチとして設計される。このロータリースイッチは、図示する実施形態においてその長手方向軸の周りで旋回することのできるスイッチピン５８を有する。スイッチピン５８の自由端では、スイッチ装置５６の作動要素が保持される。作動要素は、スイッチ装置５６のスイッチハウジング６４に着座する旋回ノブホルダ６２上で支持される旋回ノブ６０の形態で設計される。
【００４６】
特に図２から明らかであるように、前方部分１４の作動開口２２を旋回ノブ６０が通過し、作動開口２２の開口縁部６８は漏斗様の設計であり、作動開口２２は、使用者により、中央の保持領域６６で把持することができる。内側では、作動開口２２は、保持領域６６上で一体に形成された、周縁環７２により包囲される環状壁７０により被覆される。作動開口２２の漏斗形の縁部６８は、その自由端で旋回ノブの周縁環７２と保持領域６６との間の環状空間７４に入り込む。結果として、旋回ノブ６０と作動開口２２との間にラビリンス７６が形成される。以下でより詳細に説明するように、ラビリンス７６は、モータポンプユニット１２から作動開口２２を通る高圧洗浄装置１０の外側の領域への騒音放射を低減する。
【００４７】
モータポンプユニット１２は、第１遮音マット７８の形態の第１吸音要素と、第２遮音マット８０の形態の第２吸音要素との間に配置される。第１遮音マット７８は、前方部分１４上でその内側に位置決めされ、第２遮音マット８０は、後方部分１６の後壁２４上でその内側に配置される。第２遮音マット８０は、ほぼ中央に、後壁２４上で保持される第１振動減衰バッファ要素８４を包囲する開口８２を有する。第１バッファ要素８４は、エラストマー材料から製造され、モータポンプユニット１２の外周で冷却カバー４０と伝動装置機構４２との間の移行領域に接する。
【００４８】
第２振動減衰バッファ要素８６は、冷却カバー４０と伝動装置機構４２との間の移行領域にあるモータポンプユニット１２の外周で、第１バッファ要素８４に直径方向で対向して接しており、同様にエラストマー材料から製造される。第２バッファ要素８６は、基本的にＣ形の設計であり冷却カバー４０の高さ部分でモータポンプユニット１２を包囲する支持ブラケット８８上で保持される。支持ブラケット８８は、後壁２４上で保持される。従って、２つのバッファ要素８４及び８６は、それらの間でモータポンプユニット１２を収容し、モータポンプユニット１２用の装着部を形成する。モータポンプユニット１２の長手方向軸に直角に作用する力が、２つのバッファ要素８４及び８６により吸収される。
【００４９】
前方部分１４と後方部分１６との間では、モータポンプユニット１２の、底壁２６を向く端部にて支持装置９０が配置されるので、モータポンプユニット１２の長手方向軸に対して平行に作用する力を、支持装置を介してモータポンプユニット１２から後方部分１６へ、それらの間に付加的な振動減衰バッファ要素を挿入して伝達することができる。このことを、以下でより詳細に説明する。支持装置９０は、一方で吸引接続片４８及び圧力接続片５２に、他方で後方部分１６のねじドーム９４及び９６に接する橋絡部分９２を含む。この目的で、橋絡部分９２は、圧力接続片５２及び吸引接続片４８にそれぞれ接し各々がクリップ部１０２及び１０４とそれぞれ相互作用する第１Ｕ形支承部分９８及び第２Ｕ形支承部分１００を有し、クリップ部１０２及び１０４は、圧力接続片５２及び吸引接続片５８をそれぞれ包囲し、それぞれの支承部分９８及び１００にねじで留められる。更に、橋絡部分９２は、第１ねじドーム９４上及び第２ねじドーム９６上にそれぞれ設置することのできる第１支承リング１０６及び第２支承リング１０８を有する。第１支承リング１０６と第１ねじドーム９４との間には第３及び第４振動減衰バッファ要素１１０、１１２が配置され、第３及び第４振動減衰バッファ要素１１０、１１２は互いに係合し、第２支承リング１０８と第２ねじドーム９６との間には第５及び第６振動減衰バッファ要素１１４、１１６が位置決めされ、第５及び第６振動減衰バッファ要素１１４、１１６は互いに係合する。バッファ要素１１０、１１２、１１４、及び１１６は全て、エラストマー材料から製造される。ねじドーム９４及び９６は、後壁２４上で一体化して形成される付加的なねじドームと合わせて、前方部分１４と後方部分１６との間にねじ接続を提供するのに役立ち、そこでは、ねじドームに前側で接続ねじをねじ込むことができ、これらの接続ねじは前方部分１４を通過する。この種類のねじ接続はそれ自体、当業者に知られている。一方、本事例において、ねじドーム９４及び９６は、前方部分１４と後方部分１６との間にねじ接続を提供するのに役立つだけでなく、モータポンプユニット１２用の装着部を形成もする。ねじドーム９４、９６上で保持されるバッファ要素１１０、１１２、１１４、及び１１６は、前方部分１４と後方部分１６との間で締め付けられる。
【００５０】
従って、モータポンプユニット１２は後方部分１６上に装着され、後方部分１６は、支持ブラケット８６及び支持装置９０と合わせて、バッファ要素８４、８６、１１０、１１２、１１４、及び１１６を介して、モータポンプユニット１２用の支持構造体を形成する。バッファ要素８４、８６、及び１１０〜１１６を介してモータポンプユニット１２を装着する結果として、機械振動（本体騒音）が、モータポンプユニット１２から堅牢な機械部品を介して後方部分１６へ伝達され得ないことが確実になる。モータポンプユニット１２が遮音マット７８と８０との間に配置されることから、モータポンプユニット１２から前方部分１４及び後方部分１６への空気騒音の伝達も、少なくとも大幅に困難になる。
【００５１】
第１遮音マット７８は、圧力接続片５２と吸引接続片４８がそれぞれ通過する開口１１８、１２０を有する。従って、第１遮音マット７８は、圧力接続片５２及び吸引接続片４８を包囲する。２つの接続片４８及び５２は前方部分１４の開口１８及び２０をそれぞれ通過するが、これらの接続片は、開口１８及び２０の縁部から距離を置かれることによって、前方部分１４から機械的に分離される。従って、モータポンプユニット１２の機械振動を、吸引接続片４８及び圧力接続片５２を介して前方部分１４に直接伝達することはできない。また、吸引接続片４８及び圧力接続片５２が、この領域で第１遮音マット７８により包囲されることから、空気騒音が実際に、開口１８及び２０の外方へ通過することはできない。
【００５２】
既に述べたように、電気モータ３８は、ファンレスであるように設計される。電気モータ３８の冷却は、冷却空気の流れによってもたらされるものではない。この理由で、前方部分１４だけでなく後方部分１６も、冷却空気用の開口なしで済ますことができる。それどころか、電気モータ３８の冷却は、吸引接続片４８を介してポンプに供給される液体によってもたらされる。液体は、吸引接続片４８から吸引口４６へと移動され得ないうちに、入口線１２２を介して冷却カバー４０に供給される。その後、液体は、冷却カバー４０内で電気モータを冷却する目的でこの電気モータ３８の周りを案内され、続いて、出口線１２４を介して吸引口４６に運搬される。従って、入口線１２２は出口線１２４と合わせて線組立体を形成し、ポンプ４４による圧力を受けることが意図されている液体を、電気モータを冷却する目的で、線組立体を介して、最初に電気モータに供給することができる。
【００５３】
既に述べたように、電気モータ３８の冷却が、ポンプ４４による圧力を受けるべき液体によりもたらされることから、前方部分１４及び後方部分１６の通気口なしで済ますことができる。一方、高圧洗浄装置の任意の機能不全の場合に、出ていく液体が電気モータの通電部分に到達し得ないことを確実にするために、後方部分１６は、ポンプ４４の近傍で底壁２６の領域に第１流出開口１２６を有し、後壁２４、ならびに、底壁２６に直接接する２つの側壁３０及び３２の領域に、第２流出開口１２８が配置される。流出開口１２６及び１２８は、後方部分１６に一体化して形成されるビードの側方領域に配置され、全体として、３０００ｍｍ２よりも少ない開口表面積、特に最大でも１５００ｍｍ２の開口表面積を有する。任意の機能不全の場合、液体は、通電部分に接触可能となる前に、流出開口１２６及び１２８を介して高圧洗浄装置１０のハウジングから流れ出ることができる。この点に関して、流出開口１２６及び１２８は、冷却空気が実際に高圧洗浄装置１０のハウジングに入ることはできないものの、高圧洗浄装置１０に求められるべき安全に対する要件がいかなる問題もなく満たされるような小さい寸法である。流出開口１２８及び１２６の全開口表面積を、最大でも３０００ｍｍ２、特に１５００ｍｍ２よりも少なく寸法決めすることにより、安全に関してあらゆる技術要件が確実に保証されるにも関わらず、高圧洗浄装置１０が比較的低い音響出力レベルを有することが確実になる。高圧洗浄装置１０の音響出力レベルは、欧州規格ＥＮ６０７０４に従って計測され、７８ｄＢ（Ａ）よりも小さい。
【図１】
0005714043.tif 000002
【図２】
0005714043.tif 000003